(57)【要約】【課題】適切なストロボ光量で迅速な撮影処理を行うことが可能な撮影装置及び露出制御方法を提供する。【解決手段】撮影感度設定回路６１は、ズームポジション情報に基づいて、距離選択パラメータＡ，Ｂに対応するフォーカスパルス数を設定する。撮影感度設定回路６１は、合焦位置が距離選択パラメータＡよりもＦａｒ端側にある場合、撮影感度を高感度(ISO1600)に設定し、距離選択パラメータＡ，Ｂ間にある場合、撮影感度を中感度(ISO800)に設定し、距離選択パラメータＢよりもＮｅａｒ端側にある場合、低感度(ISO400)に設定する。その後、撮影感度設定回路６１は、設定された撮影感度情報をシステムコントローラ４０に出力する。システムコントローラ４０は、撮影感度情報及びＡＥ評価値に基づいて露出値及びストロボ光量を設定する。【選択図】図７
2010193498.tif 000002
【特許請求の範囲】
【請求項１】
ズームレンズ及びフォーカスレンズを有する撮影レンズと、この撮影レンズを透過した被写体光を撮像する固体撮像素子と、被写体に向けてストロボ光を照射するストロボ装置とを備えた撮影装置において、
被写体輝度を測光する測光手段と、
前記ズームレンズのズーム位置を検出するズーム位置検出手段と、
前記フォーカスレンズの合焦位置を検出する合焦位置検出手段と、
前記ズーム位置検出手段によって検出されたズーム位置に基づいて、前記フォーカスレンズの移動範囲上に設定されたＦａｒ端側の第１距離選択パラメータとＮｅａｒ端側の第２距離選択パラメータとを予めズーム位置毎に設定された値から選択し、前記合焦位置検出手段によって検出された合焦位置が前記第２距離選択パラメータよりもＮｅａｒ端側であるときに撮影感度を低感度に設定し、前記合焦位置が前記第１の距離選択パラメータと前記第２の距離選択パラメータとの間であるときには撮影感度を中感度に設定し、前記合焦位置が前記第１距離選択パラメータよりもＦａｒ端側であるときには撮影感度を高感度に設定する撮影感度設定手段と、
前記測光手段によって測光された前記被写体輝度、及び前記撮影感度設定手段によって設定された撮影感度に基づいて、露出、及び前記ストロボ装置の発光量を制御する制御手段と、
前記固体撮像素子から出力される撮像信号を前記撮影感度に対応するゲインで増幅する第１増幅手段と、
を備えていることを特徴とする撮影装置。
【請求項２】
前記合焦位置検出手段は、前記フォーカスレンズの位置毎に、前記撮像信号をデジタル信号に変換して得られた画像データから高周波成分を抽出し、この高周波成分を積算する積算手段と、前記積算手段によって積算された積算値を取得し、この積算値が最大となる位置を判定する判定手段とを備え、前記積算値が最大となる位置を前記合焦位置として検出することを特徴とする請求項１記載の撮影装置。
【請求項３】
前記撮影感度設定手段は、前記撮影感度を複数種類以上設定し、前記制御手段は、各撮影感度に対応する露出値を設定するとともに、前記撮影感度及び前記露出値の設定数分の連続撮影を実行することを特徴とする請求項１または２記載の撮影装置。
【請求項４】
画像を表示する表示手段を備え、前記制御手段は、前記表示手段を制御して、前記連続撮影によって得られた複数枚以上の撮影画像の中から少なくとも１枚を選択することが可能な選択画面を表示させることを特徴とする請求項３記載の撮影装置。
【請求項５】
前記画像データに対して各種信号処理を施す際に用いられる設定値を前記撮影感度毎に選択する設定値選択手段と、前記設定値選択手段によって選択された前記設定値に基づいて、前記画像データに対して前記各種信号を施す信号処理手段とを備えていることを特徴とする請求項２ないし請求項４のいずれか記載の撮影装置。
【請求項６】
前記設定値は、前記画像データに対して階調変換処理を施す時に用いられる階調変換特性を指定するパラメータ、前記画像データに対して輪郭強調処理を施す際の補正量範囲を指定するパラメータ、及び前記画像データに対してノイズ低減処理を施す際に用いられるフィルタの閾値を指定するパラメータであることを特徴とする請求項５記載の撮影装置。
【請求項７】
ズームレンズ及びフォーカスレンズを有する撮影レンズと、この撮影レンズを透過した被写体光を撮像する固体撮像素子と、被写体に向けてストロボ光を照射するストロボ装置とを備えた撮影装置の露出制御方法において、
被写体輝度を測光し、
前記ズームレンズのズーム位置を検出し、
前記フォーカスレンズの合焦位置を検出し、
前記ズーム位置に基づいて、前記フォーカスレンズの移動範囲上に設定されたＦａｒ端側の第１距離選択パラメータとＮｅａｒ端側の第２距離選択パラメータとを予めズーム位置毎に設定された値から選択し、前記合焦位置が前記第２距離選択パラメータよりもＮｅａｒ端側であるときに撮影感度を低感度に設定し、前記合焦位置が前記第１の距離選択パラメータと前記第２の距離選択パラメータとの間であるときには撮影感度を中感度に設定し、前記合焦位置が前記第１距離選択パラメータよりもＦａｒ端側であるときには撮影感度を高感度に設定し、
前記被写体輝度及び前記撮影感度に基づいて、露出、及び前記ストロボ装置の発光量を制御し、
前記固体撮像素子から出力される撮像信号を前記撮影感度に対応するゲインで増幅することを特徴とする露出制御方法。
【発明の詳細な説明】
【技術分野】
【０００１】
本発明は、焦点距離が可変な撮影レンズ、この撮影レンズを透過した被写体光を撮像する固体撮像素子及びストロボ装置を備えた撮影装置と、その露出制御方法とに関する。
【背景技術】
【０００２】
近年、ＣＣＤイメージセンサ等の固体撮像素子によって撮像された画像データを記録する撮影装置であるデジタルカメラが一般に普及している。このようなデジタルカメラでは、被写体輝度が低い場合、ストロボ装置によって被写体にストロボ光を照射して撮影を行う。
【０００３】
しかし、撮影距離が遠い場合には、ストロボ光が被写体に到達せずに露光不足が生じる。このような問題を解決するために、固体撮像素子から出力される撮像信号を撮影距離に対応するゲインで増幅して撮影感度を変更することによって、露光不足を解消したデジタルカメラが知られている（例えば、特許文献１参照）。
【０００４】
また、撮影距離に基づいて、撮影感度、及びストロボの発光を停止するための基準値となる調光値を設定してストロボ撮影を行うことによって、オートストロボ機能で調光可能な撮影距離範囲を広げたデジタルカメラが知られている（例えば、特許文献２参照）。
【０００５】
また、ストロボ装置によって、一定光量の予備発光を複数回行って、複数回の撮像を行い、この撮像によって得られた撮像信号を撮像毎に異なるゲインで増幅し、増幅後の撮像信号の信号レベルが所定範囲内にあると判定された時に、この増幅後の撮像信号に基づいて本発光の光量を設定して最適な光量を得るデジタルカメラが知られている（例えば、特許文献３参照）。
【先行技術文献】
【特許文献】
【０００６】
【特許文献１】特開平６−１２１２２５号公報
【特許文献２】特開２０００−１３４５３３号公報
【特許文献３】特開平１１−８４４８９号公報
【発明の概要】
【発明が解決しようとする課題】
【０００７】
しかしながら、上記特許文献１及び特許文献２に記載のデジタルカメラでは、撮影距離に基づいて、撮影感度、及びストロボ装置の調光値を設定しているが、ストロボ光の到達距離は、撮影距離だけでなく、レンズの明るさに起因するため、適切なストロボ光量の制御を行うことが難しいという問題があった。また、特許文献３に記載のデジタルカメラでは、複数回の予備発光を行うことが必要であり、撮影処理に時間がかかるという問題があった。
【０００８】
本発明は、上記事情に鑑みてなされたものであり、適切なストロボ光量で迅速な撮影処理を行うことが可能な撮影装置及び露出制御方法を提供することを目的とする。
【課題を解決するための手段】
【０００９】
上記課題を解決するために、本発明の撮影装置は、ズームレンズ及びフォーカスレンズを有する撮影レンズと、この撮影レンズを透過した被写体光を撮像する固体撮像素子と、被写体に向けてストロボ光を照射するストロボ装置とを備えた撮影装置であり、被写体輝度を測光する測光手段と、前記ズームレンズのズーム位置を検出するズーム位置検出手段と、前記フォーカスレンズの合焦位置を検出する合焦位置検出手段と、前記ズーム位置検出手段によって検出されたズーム位置、及び前記合焦位置検出手段によって検出された合焦位置に基づいて、撮影感度を設定する撮影感度設定手段と、前記測光手段によって測光された前記被写体輝度、及び前記撮影感度設定手段によって設定された撮影感度に基づいて、露出、及び前記ストロボ装置の発光量を制御する制御手段と、前記固体撮像素子から出力される撮像信号を前記撮影感度に対応するゲインで増幅する第１増幅手段とを備えていることを特徴とするものである。撮影感度設定手段は、ズーム位置検出手段によって検出されたズーム位置に基づいて、フォーカスレンズの移動範囲上に設定されたＦａｒ端側の第１距離選択パラメータとＮｅａｒ端側の第２距離選択パラメータとを予めズーム位置毎に設定された値から選択し、合焦位置検出手段によって検出された合焦位置が第２距離選択パラメータよりもＮｅａｒ端側であるときに撮影感度を低感度に設定し、合焦位置が第１の距離選択パラメータと第２の距離選択パラメータとの間であるときには撮影感度を中感度に設定し、合焦位置が前記第１距離選択パラメータよりもＦａｒ端側であるときには撮影感度を高感度に設定する。
【００１０】
また、前記合焦位置検出手段は、前記フォーカスレンズの位置毎に、前記撮像信号をデジタル信号に変換して得られた画像データから高周波成分を抽出し、この高周波成分を積算する積算手段と、前記積算手段によって積算された積算値を取得し、この積算値が最大となる位置を判定する判定手段とを備え、前記積算値が最大となる位置を前記合焦位置として検出することが好ましい。
【００１１】
さらに、前記画像データの輝度値を算出し、この輝度値と、予め設定された目標輝度値とを比較して不足ゲイン値を算出する不足ゲイン算出手段と、前記不足ゲイン算出手段によって算出された不足ゲイン値に基づいて、前記画像データの信号レベルを増幅する第２増幅手段とを備えていることが好ましい。
【００１２】
また、前記撮影感度設定手段は、前記撮影感度を複数種類以上設定し、前記制御手段は、各撮影感度に対応する露出値を設定するとともに、前記撮影感度及び前記露出値の設定数分の連続撮影を実行しても良い。
【００１３】
さらに、画像を表示する表示手段を備え、前記制御手段は、前記表示手段を制御して、前記連続撮影によって得られた複数枚以上の撮影画像の中から少なくとも１枚を選択することが可能な選択画面を表示させることが好ましい。
【００１４】
また、前記画像データに対して各種信号処理を施す際に用いられる設定値を前記撮影感度毎に選択する設定値選択手段と、前記設定値選択手段によって選択された前記設定値に基づいて、前記画像データに対して前記各種信号を施す信号処理手段とを備えていることが好ましい。
【００１５】
さらに、前記設定値は、前記画像データに対して階調変換処理を施す時に用いられる階調変換特性を指定するパラメータ、前記画像データに対して輪郭強調処理を施す際の補正量範囲を指定するパラメータ、及び前記画像データに対してノイズ低減処理を施す際に用いられるフィルタの閾値を指定するパラメータであることが好ましい。
【００１６】
本発明の露出制御方法は、ズームレンズ及びフォーカスレンズを有する撮影レンズと、この撮影レンズを透過した被写体光を撮像する固体撮像素子と、被写体に向けてストロボ光を照射するストロボ装置とを備えた撮影装置の露出制御方法であり、被写体輝度を測光し、前記ズームレンズのズーム位置を検出し、前記フォーカスレンズの合焦位置を検出し、前記ズーム位置及び前記合焦位置に基づいて撮影感度を設定し、前記被写体輝度及び前記撮影感度に基づいて、露出、及び前記ストロボ装置の発光量を制御し、前記固体撮像素子から出力される撮像信号を前記撮影感度に対応するゲインで増幅することを特徴とするものである。撮影感度を設定する際には、ズーム位置に基づいて、フォーカスレンズの移動範囲上に設定されたＦａｒ端側の第１距離選択パラメータとＮｅａｒ端側の第２距離選択パラメータとを予めズーム位置毎に設定された値から選択し、合焦位置が第２距離選択パラメータよりもＮｅａｒ端側であるときに撮影感度を低感度に設定し、合焦位置が第１の距離選択パラメータと第２の距離選択パラメータとの間であるときには撮影感度を中感度に設定し、合焦位置が第１距離選択パラメータよりもＦａｒ端側であるときには撮影感度を高感度に設定する。
【発明の効果】
【００１７】
本発明によれば、ズームレンズのズーム位置、及びフォーカスレンズの合焦位置に基づいて撮影感度を設定し、この撮影感度に基づいて露出及びストロボ光量を制御するので、撮影レンズの焦点距離を変更してレンズの明るさが変化した場合でも、露出及びストロボ光量を適切に制御することができる。このため、遠距離撮影でのストロボ光の未到達や、近距離撮影でのストロボ光による白トビを防止することができる。また、予備発光を複数回行う必要がないため、迅速な撮影を行うことができる。
【００１８】
また、撮影が実行された時に画像データの不足ゲインを調節するので、撮影画像の画質を向上させることができる。さらに、撮影感度を複数種類以上設定し、各撮影感度に対応する露出値を設定して連続撮影を行うので、より撮影者の意図に合った撮影画像を提供することができる。
【００１９】
また、画像データに対して各種信号処理を行う時に、撮影感度毎に設定された設定値に基づいて信号処理を行うので、撮影画像の画質をさらに向上させることができる。
【図面の簡単な説明】
【００２０】
【図１】デジタルカメラの前面側の構成を示す斜視図である。
【図２】デジタルカメラの背面側の構成を示す斜視図である。
【図３】第１の実施形態であるデジタルカメラの電気的構成を示すブロック図である。
【図４】撮影感度設定回路の入出力データを示す説明図である。
【図５】距離選択パラメータを示す説明図である。
【図６】撮影処理を説明するフローチャートである。
【図７】露出制御処理を説明するフローチャートである。
【図８】撮影処理を説明するフローチャートであり、撮影感度を複数設定して連続撮影を行う場合を示している。
【図９】異なる撮影感度で撮影された画像を選択する選択画面を示す説明図である。
【図１０】第２の実施形態であるデジタルカメラの電気的構成を示すブロック図である。
【図１１】不足ゲイン算出回路の入出力データを示す説明図である。
【図１２】不足ゲイン算出回路の構成を示す概略図である。
【図１３】エリア毎の加重係数を示す説明図である。
【図１４】撮影処理を説明するフローチャートであり、画像データに基づいて不足ゲインを算出してゲインを調節する場合を示している。
【図１５】第３の実施形態であるデジタルカメラの電気的構成を示すブロック図である。
【図１６】デジタル信号処理部の構成を示す概略図である。
【図１７】信号処理パラメータ算出回路の入出力データを示す説明図である。
【図１８】信号処理パラメータ算出回路の構成を示す概略図である。
【図１９】輪郭強調処理における撮影感度毎の補正量範囲を示すグラフである。
【図２０】画素の配列を示す模式図である。
【図２１】画素列の輪郭成分を示すグラフである。
【図２２】撮影処理を説明するフローチャートであり、撮影感度に対応する信号処理を画像データに施す場合を示している。
【発明を実施するための形態】
【００２１】
図１に示すデジタルカメラ（撮影装置）１０は、カメラ本体１１の前面に、スライド操作可能なレンズバリア１２を備えている。このレンズバリア１２を開放位置（図１に示す位置）にスライドさせることによって、撮影レンズ１３、ストロボ発光部１４が前面に露呈される。また、カメラ本体１１の前面には、光学ファインダを構成するファインダ対物窓１５が設けられている。
【００２２】
前述のレンズバリア１２は、電源操作部材を兼用しており、前述の開放位置にスライド操作された時に、カメラ本体１１の電源がＯＮとなり、撮影レンズ１３及びストロボ発光部１４が遮蔽される遮蔽位置にスライド操作された時に、カメラ本体１１の電源がＯＦＦとなる。
【００２３】
また、図２に示すように、カメラ本体１１の背面には、画像を表示する表示手段であるＬＣＤ１６、光学ファインダを構成するファインダ接眼窓１７、複数の操作部材で構成される操作部１８が設けられている。ＬＣＤ１６は、スルー画、再生画像、及び各種設定画面等を表示する。
【００２４】
操作部１８は、モード切替ボタン２１、戻しボタン２２、送りボタン２３、ズームボタン２４、メニューボタン２５、キャンセルボタン２６、及び表示ボタン２７で構成されている。
【００２５】
モード切替ボタン２１は、撮影モードと、再生モードとを切り替える際に、スライド操作される。また、送りボタン２３及び戻しボタン２２は、再生モードにおいて、再生画像を順送り及び逆送りする際に、押圧操作される。ズームボタン２４は、撮影レンズ１３の焦点距離を変更する際に、上下方向に押圧操作される。また、戻しボタン２２、送りボタン２３、及びズームボタン２４は、設定画面内でカーソルを移動する際のカーソル操作ボタンとしても用いられる。
【００２６】
メニューボタン２５は、メニュー画面をＬＣＤ１６に表示させる際に押圧操作される。また、キャンセルボタン２６は、メニュー画面内での各種設定操作を途中でやめる場合や、前画面に戻す場合に押圧操作される。表示ボタン２７は、ＬＣＤ１６のＯＮ、ＯＦＦを切り替える際に押圧操作される。
【００２７】
また、カメラ本体１１の上面には、シャッタボタン２８が設けられている。このシャッタボタン２８は、２段押しのボタンであり、このシャッタボタン２８が半押しされた時に、各種撮影準備処理が実行され、半押しよりさらに押し込まれて全押しされた時に、撮影処理が実行される。
【００２８】
カメラ本体１１の側面には、記録メディアスロット３０が設けられている。この記録メディアスロット３０には、画像データが記憶される記憶手段である記録メディア３１が着脱自在に装填される。
【００２９】
次に、デジタルカメラ１０の電気的構成について説明する。図３に示すように、デジタルカメラ１０は、システムコントローラ（制御手段）４０によって各部が制御されている。このシステムコントローラ４０は、ＲＯＭ４０ａ、及びＲＡＭ４０ｂを備えている。
【００３０】
ＲＯＭ４０ａには、カメラ本体１１内の各部を制御するための制御プログラムや、各種制御用データ等が記憶されており、ＲＡＭ４０ｂには、作業用データが一時的に記憶される。システムコントローラ４０は、これらのプログラムや各種制御用データ等に基づいて各部を制御する。
【００３１】
また、システムコントローラ４０には、操作部１８及びシャッタボタン２８が接続されており、操作部１８及びシャッタボタン２８から入力される操作信号に基づいて各部を制御する。
【００３２】
撮影レンズ１３は、焦点距離を変更可能なレンズであり、ズームレンズ４１と、絞り４２と、フォーカスレンズ４３とを備えて構成されている。ズームレンズ４１は、ズームパルスモータ４４によって、撮影レンズ１３の光軸方向に沿って移動される。また、絞り４２は、アイリスモータ４５によって駆動されて開口径が変更し、後述するＣＣＤイメージセンサ（以下、単にＣＣＤと称する）の受光面に入射する被写体光の光量を調節する。さらに、フォーカスレンズ４３は、フォーカスパルスモータ４６によって光軸方向に沿って移動される。
【００３３】
各モータ４４〜４６は、モータドライバ４７に接続されている。モータドライバ４７は、システムコントローラ４０に接続されており、システムコントローラ４０からの指示に基づいて、各モータ４４〜４６に駆動パルスを送信する。各モータ４４〜４６は、この駆動パルスによって回転駆動される。システムコントローラ４０は、ズームレンズ４１のズーム位置を検出するズーム位置検出手段であり、ズームパルスモータ４４の駆動パルス数をカウントすることによってズーム位置を検出する。例えば、ズームレンズ４１をテレ端に向けて移動させる時にはパル数を加算し、ワイド端側に向けて移動させる時にはパルス数を減算する。また、システムコントローラ４０は、同様に、フォーカスパルスモータ４６のパルス数をカウントしたフォーカスパルス数によって、フォーカスレンズ４３の位置を検出する。
【００３４】
この撮影レンズ１３の背後には、ＣＣＤ４８が配置されている。ＣＣＤ４８は、受光素子（フォトダイオード）が２次元的に配列された受光面を備えており、撮影レンズ１３を透過して受光面に結像された被写体光を光電変換し、光量に応じた信号電荷を蓄積する。各受光素子に蓄積された信号電荷は、ＣＣＤドライバ４９から与えられるパルスに基づいて、その電荷量に応じた電圧信号（撮像信号）として順次に読み出される。
【００３５】
ＣＣＤ４８から出力された撮像信号は、アナログ信号処理部５０に入力される。このアナログ信号処理部５０は、相関二重サンプリング回路（ＣＤＳ）５０ａ、オートゲインコントロール・アンプ（ＡＭＰ）５０ｂ、及びＡ／Ｄ変換器５０ｃで構成されている。
【００３６】
ＣＤＳ５０ａは、ＣＣＤ４８に起因するアンプ雑音とリセット雑音とを撮像信号から除去する。ＡＭＰ５０ｂは、第１増幅手段である。システムコントローラ４０は、後述する撮影感度設定回路から撮影感度情報を取得し、このＡＭＰ５０ｂを制御して、撮影感度に対応する利得で撮像信号を増幅する。また、Ａ／Ｄ変換器５０ｃは、アナログ信号である撮像信号をデジタル信号の画像データに変換する。
【００３７】
タイミングジェネレータ（ＴＧ）５１は、システムコントローラ４０の指示に従ってＣＣＤドライバ４９及びアナログ信号処理部５０に対してタイミング信号を与えており、このタイミング信号によって各回路の同期がとられている。また、このＴＧ４９から入力されるタイミング信号（クロックパルス）により、ＣＣＤ４８の電子シャッタ速度（露光時間）が決定される。つまり、システムコントローラ４０は、絞り４２の絞り値とＣＣＤ４８の露光時間とを制御して、露出制御を行う。
【００３８】
アナログ信号処理部５０には、画像入力コントローラ５２が接続されている。この画像入力コントローラ５２は、バス５３を介してＳＤＲＡＭ５４に接続されており、ＳＤＲＡＭ５４に１画面分の画像データを記憶させる。バス５３には、画像入力コントローラ５２及びＳＤＲＡＭ５４の他に、デジタル信号処理回路５５、圧縮伸張処理回路５６、ＬＣＤドライバ５７、メディアコントローラ５８、ＡＥ検出回路５９、ＡＦ検出回路６０、及び撮影感度設定回路６１が接続されている。
【００３９】
デジタル信号処理回路５５は、ＳＤＲＡＭ５４に記憶された画像データに対して、階調変換処理、輪郭強調処理、ノイズ低減処理、ホワイトバランス補正処理、及びＹＣ変換処理等の所定の信号処理を施す。なお、スルー画を表示する場合には、撮影時よりも低解像度の画像データがＳＤＲＡＭ５４に記憶され、この低解像度の画像データに対して前述の信号処理が行われる。その後、システムコントローラ４０の指示に従って、ＳＤＲＡＭ５４から低解像度の画像データが順次に読み出され、ＬＣＤドライバ５７を介して、スルー画としてＬＣＤ１６に表示される。
【００４０】
前述のシャッタボタン２８は、２段階押圧式のスイッチであり、シャッタボタン２８が、軽く押下（半押し）されて１段目のスイッチがＯＮにされると、後述するＡＥ制御及びＡＦ制御等の撮影準備動作が行われる。シャッタボタン２８が半押しされた状態から、さらに押下（全押し）されると、ＡＥ制御によって設定された露出値にて、ＣＣＤ４８に対して本露光が行われる。
【００４１】
この時、前述のＳＤＲＡＭ５４には、スルー画時よりも高解像度の画像データが記憶され、この画像データに対して前述の信号処理が施される。信号処理が施された画像データは、圧縮伸張処理回路５６によって所定の圧縮形式（例えば、ＪＰＥＧ形式）で圧縮される。圧縮処理後、画像データは、メディアコントローラ５８を介して記録メディア３１に記憶される。
【００４２】
また、再生モード時には、メディアコントローラ５８を介して記録メディア３１から読み出された画像データが、圧縮伸張処理回路５６によって伸張され、ＬＣＤドライバ５７を介してＬＣＤ１６に再生画像として表示される。
【００４３】
ＡＥ検出回路５９は、シャッタボタン２８が半押しされた時に、ＳＤＲＡＭ５４に記憶された画像データに基づいて、被写体輝度を測光する測光手段であり、露出値が最適となるＡＥ評価値を検出して、このＡＥ評価値をシステムコントローラ４０に出力する。また、ＡＦ検出回路６０は、画像データの高周波成分を抽出し、この高周波成分を積算する積算手段であり、シャッタボタン２８が半押しされてフォーカスレンズ４３が光軸方向に移動されている時に、ＳＤＲＡＭ５４に記憶される画像データに基づいて、この画像データの高周波成分の積算値であるＡＦ評価値を逐次算出して、このＡＦ評価値をシステムコントローラ４０に出力する。
【００４４】
システムコントローラ４０は、ＡＥ評価値に基づいて、絞り４２の開口径、及びＣＣＤ４８の電子シャッタ速度を設定する。さらに、システムコントローラ４０は、フォーカスレンズ４３の各位置のＡＦ評価値を逐次取得し、このＡＦ評価値が最大（ピーク）となる位置を判定する判定手段である。つまり、システムコントローラ４０は、ＡＦ検出回路６０からＡＦ評価値を逐次取得し、ＡＦ評価値が最大（ピーク）となるフォーカスレンズ４３の位置を合焦位置と判定し、この合焦位置にフォーカスレンズ４３を移動させる。なお、合焦位置検出手段は、ＡＦ検出回路６０と、システムコントローラ４０とで構成される。
【００４５】
撮影感度設定回路６１は、撮影レンズ１３の現在の焦点距離、及びフォーカスレンズ４３の合焦位置に基づいて、撮影感度を設定する撮影感度設定手段であり、シャッタボタン２８が半押しされた時に撮影感度を設定して、撮影感度情報をシステムコントローラ４０に出力する。
【００４６】
つまり、この撮影感度設定回路６１には、図４に示すように、焦点距離情報であるズームポジションと、合焦位置としてフォーカスパルス数が入力される。撮影感度設定回路６１は、これらに基づいて最適な撮影感度を設定し、この撮影感度情報（ＩＳＯ４００，８００，１６００，etc）をシステムコントローラ４０に出力する。なお、本実施形態では、３つの撮影感度から選択する場合を例に説明する。
【００４７】
以下に、撮影感度の設定方法について説明する。撮影感度設定回路６１は、下表１に示すテーブルが記憶されている。このテーブルは、ズームポジション（Ｚ１〜Ｚ１０）毎の距離選択パラメータＡ，Ｂを示している。この距離選択パラメータＡ（第１距離選択パラメータ），距離選択パラメータＢ（第２距離選択パラメータ）は、フォーカスパルス数で設定されており、図５に示すように、距離選択パラメータＡ，Ｂは、フォーカスレンズ４３のＦａｒ端（フォーカスパルス数：０）とＮｅａｒ端との間に設定され、距離パラメータＡは、距離パラメータＢよりもＦａｒ端側に設定されている。
【００４８】
【表１】
2010193498.tif 000003
【００４９】
撮影感度設定回路６１は、システムコントローラ４０からズームポジション（Ｚ１〜Ｚ１０）の情報、及びフォーカスパルス数の情報を取得し、現在のズームポジションに対応する距離選択パラメータＡ，Ｂを選択する。その後、撮影感度設定回路６１は、合焦位置におけるフォーカスパルス数が、距離選択パラメータＡよりもＦａｒ端側、距離選択パラメータＡ，Ｂ間、及び距離選択パラメータよりもＮｅａｒ端側のいずれの範囲にあるかを判定する。
【００５０】
撮影感度設定回路６１は、距離選択パラメータＡよりもＦａｒ端側にある場合、撮影感度を高感度に設定し、距離選択パラメータＡ，Ｂ間にある場合、撮影感度を中感度に設定し、距離選択パラメータよりもＮｅａｒ端側にある場合、撮影感度を低感度に設定する。その後、撮影感度設定回路６１は、設定された撮影感度情報をシステムコントローラ４０に出力する。
【００５１】
また、前述のシステムコントローラ４０には、被写体にストロボ光を照射するストロボ装置６２が接続されている。システムコントローラ４０は、ストロボ装置６２を制御して、ストロボ光の光量を調節する。
【００５２】
次に、上記構成のデジタルカメラ１０の撮影処理について、図６のフローチャートを用いて説明する。デジタルカメラ１０の電源がＯＮにされ、撮影モードに設定されると、ＬＣＤ１６にはスルー画が表示され、システムコントローラ４０は、シャッタボタン２８が半押しされているか否かを判定する。半押しされていないと判定された場合、シャッタボタン２８が半押しされるまで待機状態となる。
【００５３】
シャッタボタン２８が半押しされたと判定された場合、システムコントローラ４０は、ＡＥ検出回路５９を制御して測光処理を実行させる。ＡＥ検出回路５９は、ＳＤＲＡＭ５４に記憶された低解像度の画像データに基づいて被写体輝度を測光し、ＡＥ評価値をシステムコントローラ４０に出力する。システムコントローラ４０は、このＡＥ評価値に基づいてＡＦ用露出値を算出し、絞り３２の開口径、及びＣＣＤ４８の電子シャッタ速度を設定する。この露出設定にて、ＣＣＤ４８によって撮像が行われて、ＳＤＲＡＭ５４に画像データが取り込まれる。
【００５４】
この時、システムコントローラ４０は、モータドライバ４７を制御してフォーカスレンズ４３をＦａｒ端とＮｅａｒ端との間で移動させながら、ＡＦ検出回路６０を制御してＡＦ処理を実行させる。ＡＦ検出回路６０は、ＳＤＲＡＭ５４に入力される画像データに基づいて、ＡＦ評価値をフォーカスレンズ４３の位置毎に算出し、このＡＦ評価値をシステムコントローラ４０に逐次出力する。
【００５５】
システムコントローラ４０は、ＡＦ検出回路６０からＡＦ評価値を逐次取得するとともに、このＡＦ評価値が最大（ピーク）となる位置（フォーカスパルス数）を判定し、この位置をフォーカスレンズ４３の合焦位置として検出する。
【００５６】
その後、システムコントローラ４０は、露出制御処理を実行する。以下に、この露出制御処理を図７のフローチャートを用いて説明する。システムコントローラ４０は、現在のズームレンズ４１の位置を示すズームポジション情報（Ｚ１〜Ｚ１０）と、フォーカスレンズ４３の合焦位置情報（フォーカスパルス数）とを撮影感度設定回路６１に出力する。
【００５７】
撮影感度設定回路６１は、ズームポジション情報、及び合焦位置情報を取得すると、表１に示すテーブルを参照して、現在のズームポジションに対応する距離選択パラメータＡ，Ｂのフォーカスパルス数を設定する。例えば、ズームポジションがＺ６の場合、距離選択パラメータＡを１０、距離選択パラメータＢを１８に設定する。
【００５８】
その後、撮影感度設定回路６１は、合焦位置のフォーカスパルス数が、距離選択パラメータＢよりも大きいか否かを判定する。距離選択パラメータＢよりも大きいと判定された場合、撮影感度設定回路６１は、撮影感度を低感度（例えば、ＩＳＯ４００）に設定する。また、距離選択パラメータＢ以下であると判定された場合、撮影感度設定回路６１は、フォーカスパルス数が、距離選択パラメータＡ以下であるか否かを判定する。
【００５９】
距離選択パラメータＡ以下であると判定された場合、撮影感度設定回路６１は、撮影感度を中感度（例えば、ＩＳＯ８００）に設定する。また、距離選択パラメータＡよりも大きいと判定された場合、撮影感度設定回路６１は、撮影感度を高感度（例えば、ＩＳＯ１６００）に設定する。撮影感度設定回路６１は、設定された撮影感度の情報をシステムコントローラ４０に出力する。
【００６０】
システムコントローラ４０は、ＡＥ評価値及び撮影感度に基づいて、ストロボの発光量、及び露出値を設定する。また、システムコントローラ４０は、撮影感度情報に基づいてＡＭＰ５０ｂを制御し、この撮影感度に対応する利得を設定する。
【００６１】
その後、システムコントローラ４０は、シャッタボタン２８が全押しされたか否かを判定する。全押しされていないと判定された場合、全押しされるまで待機状態となる。また、シャッタボタン２８が全押しされたと判定された場合、システムコントローラ４０は、露出値の設定に基づいて、絞り４２の開口径、及びＣＣＤ４８の電子シャッタ速度を制御するとともにストロボの発光量を制御し、ＣＣＤ４８に撮像処理を実行させる。
【００６２】
この時、システムコントローラ４０は、ＡＭＰ５０ｂを制御して、ＣＣＤ４８から出力された撮像信号を撮影感度に対応する利得で増幅させる。その後、撮像信号をデジタル信号に変換した画像データがＳＤＲＡＭ５４に記憶される。
【００６３】
その後、システムコントローラ４０は、デジタル信号処理回路５５を制御して、ＳＤＲＡＭ５４に記憶された高解像度の画像データに対して各種信号処理を施すとともに、圧縮伸張処理回路５６を制御して、画像データに対して圧縮処理を施す。
【００６４】
システムコントローラ４０は、メディアコントローラ５８を制御することによって、圧縮処理が施された画像データを記録メディア３１に記憶させて撮影処理を終了する。
【００６５】
なお、上記撮影処理の説明では、ズーム位置、及び合焦位置に基づいて、１つの撮影感度を設定して撮影を行う場合を例に説明を行った。このように、最適な撮影感度で１回の撮影を行うことが最善であるが、撮影レンズの温度特性によって生じるピントのズレや、ズームレンズやフォーカスレンズを繰り返し移動させることによって、駆動部の劣化によって生じるレンズ位置のバラつき等によって、適正な被写体距離が得られない場合がある。また、撮影者によっては主要被写体が多少明る過ぎても、背景の写りを重視するなど好みが分かれるため、複数の撮影感度によって複数回の撮影を行って、撮影者の意図に合った画像を提供しても良い。
【００６６】
以下に、複数の撮影感度を設定して、撮影感度毎に複数回の撮影を行う場合の撮影処理について、図８のフローチャートを用いて説明する。なお、ＡＦ処理までは同様の処理を行うので説明を省略する。
【００６７】
ＡＦ処理が行われた後、システムコントローラ４０は、現在のズームポジション情報（Ｚ１〜Ｚ１０）と、フォーカスレンズの合焦位置情報（フォーカスパルス数）とを撮影感度設定回路６１に出力する。
【００６８】
撮影感度設定回路６１は、前述の露出制御処理と同様に、最適な撮影感度を設定する。その後、撮影感度設定回路６１は、最適な撮影感度と、この最適な撮影感度よりも感度の低い撮影感度と、最適な撮影感度よりも感度の高い撮影感度との３つの撮影感度を設定する。例えば、最適な撮影感度がＩＳＯ８００に設定された場合、撮影感度としてＩＳＯ４００，８００，１６００の３通りの撮影感度を設定する。撮影感度設定回路６１は、これらの３通りの撮影感度情報をシステムコントローラ４０に出力する。
【００６９】
システムコントローラ４０は、これらの撮影感度及びＡＥ評価値に基づいて、各撮影感度に対応する利得、露出値、及びストロボ発光量を設定し、これらの３通りの設定情報をＲＡＭ４０ｂに記憶させる。その後、システムコントローラ４０は、シャッタボタン２８が全押しされたか否かを判定する。全押しされていないと判定された場合、全押しされるまで待機状態となる。
【００７０】
また、シャッタボタン２８が全押しされたと判定された場合、システムコントローラ４０は、３通りの設定情報のうち１通りの設定情報に基づいて各部を制御して、撮像処理を実行する。さらに、システムコントローラ４０は、各部を制御して、画像データに対して各種画像処理及び圧縮処理が施した後、画像データを記録メディアに記憶させる。
【００７１】
その後、システムコントローラは、３枚の画像の記憶が終了したか否かを判定する。３枚の画像の記憶が終了していないと判定された場合、撮像処理に戻って残りの設定情報に基づいて画像の記憶が行われる。
【００７２】
また、３枚の画像の記憶が終了したと判定された場合、システムコントローラ４０は、メディアコントローラ５８を制御して３枚の画像データを読み出すとともに、圧縮伸張処理回路５６を制御して、これらの画像データに対して伸張処理を施す。
【００７３】
その後、システムコントローラ４０は、ＬＣＤドライバ５７を制御して、図９に示す選択画面７０をＬＣＤ１６に表示させる。この選択画面７０には、３枚の画像７１ａ〜７１ｃが縮小されて表示されており、ユーザが操作部１８を操作することによって所望の画像を選択することができる。
【００７４】
その後、システムコントローラ４０は、ユーザによって選択された画像以外の画像データを記録メディア３１から削除して、撮影処理を終了する。
【００７５】
なお、上記撮影処理の説明において、選択画面７０を表示してユーザによって選択された画像以外の画像データを削除する場合を例に説明したが、選択画面７０を表示せずに、撮影処理の終了後に、ユーザが操作部を操作して不要な画像データを削除しても良い。また、上記撮影処理の説明では、３通りの撮影感度を設定する場合について説明したが、これに限るものではなく、２通りや４通り以上の撮影感度を設定しても良い。
【００７６】
次に、第２の実施形態であるデジタルカメラ８０について説明する。図１０に示すように、デジタルカメラ８０は、不足ゲイン算出回路８１と、デジタル信号処理回路８２とを備えている。この不足ゲイン算出回路８１は、撮影処理時にＳＤＲＡＭ５４に記憶された画像データに基づいて、画像データの不足ゲイン値を算出する不足ゲイン値算出手段である。この不足ゲイン算出回路８１は、図１１に示すように、分割エリア毎の積算データと、１エリア内の画素数データとが入力され、不足ゲイン値を算出して出力する。
【００７７】
以下に、この不足ゲイン算出回路８１について説明する。図１２に示すように、この不足ゲイン算出回路８１は、輝度データ変換部８１ａと、加重平均処理部８１ｂと、輝度レベル演算部８１ｃと、ゲイン値演算部８１ｄとを備えている。輝度データ変換部８１ａには、前述の分割エリア毎の積算データと、エリアサイズデータとが入力される。この分割エリア毎の積算データとは、画像データを所定数に分割したエリア毎のＲ／Ｇ／Ｂの積算データであり、エリアサイズデータとは、分割されたエリア内の画素数データである。本実施形態では画像データを６４分割した場合を例に説明するが、分割数は適宜変更可能である。また、システムコントローラ４０が、エリア毎のＲ／Ｇ／Ｂの積算データを算出しても良いし、ＡＥ検出回路５９が、この積算データを算出しても良い。
【００７８】
輝度データ変換部８１ａは、分割エリア毎の積算データであるＲ（ｉ），Ｇ（ｉ），Ｂ（ｉ）を取得し、下記数式１によって、各エリアの輝度データＹ（ｉ）を算出する。輝度データ変換部８１ａは、この輝度データＹ（ｉ）を加重平均処理部８１ｂに出力する。
【００７９】
（数１）
Ｙ(ｉ)＝０．６×Ｇ(ｉ)＋０．３×Ｒ(ｉ)＋０．１×Ｂ(ｉ)
（但し、ｉ：０〜６３）
【００８０】
その後、加重平均処理部８１ｂは、輝度データＹ（ｉ）に対して加重平均処理を行う。つまり、この加重平均処理部８１ｂは、画面中央に主要被写体があると想定して、図１３に示す加重係数表を用いて各エリアの輝度データＹ（ｉ）に対して重み付けを行った後、下記数式２によって、輝度データＹ（ｉ）の平均値Ｙｋを算出する。加重平均処理部８１ｂは、この平均値Ｙｋを輝度レベル演算部８１ｃに出力する。
【００８１】
【数２】
2010193498.tif 000004
【００８２】
輝度レベル演算部８１ｃには、平均値Ｙｋと、１エリア内の画素数データとが入力される。この輝度レベル演算部８１ｃは、下記数式３によって、１画素当たりの輝度レベルＹｐを算出する。輝度レベル演算部８１ｃは、この輝度レベルＹｐを不足ゲイン値演算部８１ｄに出力する。
【００８３】
（数３）
Ｙｐ＝Ｙｋ／（１エリア内の画素数）
【００８４】
不足ゲイン値演算部８１ｄは、不足ゲイン値（ｃｒｃｔ＿ｇａｉｎ）を下記数式４によって算出し、この不足ゲイン値（ｃｒｃｔ＿ｇａｉｎ）をデジタル信号処理回路８２に出力する。
【００８５】
（数４）
ｃｒｃｔ＿ｇａｉｎ＝（目標レベル）／Ｙｐ
【００８６】
また、デジタル信号処理回路８２は、第２増幅手段である不足ゲイン調節部８２ａを備えている。この不足ゲイン調節部８２ａは、不足ゲイン値（ｃｒｃｔ＿ｇａｉｎ）に基づいて、ＳＤＲＡＭ５４に記憶された画像データのゲインを調節して、不足ゲインを補正する。
【００８７】
以上、デジタルカメラ８０の構成を説明したが、その他の構成は、デジタルカメラ１０と同様の構成であり、同一の部品には同一の符号を付して詳しい説明を省略する。
【００８８】
次に、上記構成のデジタルカメラ８０の撮影処理について、図１４のフローチャートを用いて説明する。なお、露出制御までの処理は、第１の実施形態であるデジタルカメラ１０と同様であるので説明を省略する。デジタルカメラ１０と同様に、露出制御処理まで行われると、システムコントローラ４０は、シャッタボタン２８が全押しされたか否かの判定を行う。
【００８９】
シャッタボタン２８が全押しされていないと判定された場合、全押しされるまで待機状態となる。また、シャッタボタンが全押しされたと判定された場合、システムコントローラは、露出値の設定に基づいて、絞りの開口径及び電子シャッタ速度を制御するとともに、ストロボの発光量が制御されて、ＣＣＤに対して本露光が行われる。
【００９０】
この時、システムコントローラは、ＡＭＰを制御することによって、ＣＣＤによって取得された撮像信号を設定された利得で増幅させる。その後、撮像信号をデジタル信号に変換した高解像度の画像データがＳＤＲＡＭに記憶される。
【００９１】
その後、システムコントローラは、不足ゲイン算出回路を制御して不足ゲイン算出処理を実行させる。以下に、この不足ゲイン算出処理では、最初に、システムコントローラが、６４分割されたエリア毎の積算データと、１エリアの画素数データとを不足ゲイン算出回路に出力する。不足ゲイン算出回路は、これらの積算データ及び画素数データを取得する。
【００９２】
輝度データ変換部は、ＲＧＢ毎の積算値に基づいて輝度データＹ（ｉ）を算出し、この輝度データＹ（ｉ）を加重平均処理部に出力する。加重平均処理部は、図に示す加重係数表を用いて各エリアの輝度データＹ（ｉ）に対して重み付けを行った後、輝度データＹ（ｉ）の平均値Ｙｋを算出して、この平均値Ｙｋを輝度レベル演算部に出力する。
【００９３】
輝度レベル演算部は、平均値Ｙｋ及び１エリアの画素数に基づいて、１画素当たりの輝度レベルＹｐを算出して、１画素当たりの輝度レベルＹｐを不足ゲイン演算部に出力する。不足ゲイン値演算部は、不足ゲイン値（ｃｒｃｔ＿ｇａｉｎ）を算出し、この不足ゲイン値（ｃｒｃｔ＿ｇａｉｎ）をデジタル信号処理回路に出力する。
【００９４】
不足ゲイン調節部８２ａは、不足ゲイン値（ｃｒｃｔ＿ｇａｉｎ）に基づいて、ＳＤＲＡＭに記憶された高解像度の画像データの利得を調節して、不足ゲインを補正する。
【００９５】
その後、システムコントローラは、デジタル信号処理回路を制御して、ＳＤＲＡＭに記憶された高解像度の画像データに対して各種信号処理を施すとともに、圧縮伸張処理回路を制御して、画像データに対して圧縮処理を施す。さらに、システムコントローラは、メディアコントローラを制御することによって、圧縮処理が施された画像データを記録メディアに記憶させて撮影処理を終了する。
【００９６】
次に、第３の実施形態であるデジタルカメラ９０の構成を説明する。図１５に示すデジタルカメラ９０は、デジタル信号処理回路９１と、信号処理パラメータ算出回路９２とを備えている。デジタル信号処理回路９１は、図１６に示すように、階調変換部９３と、輪郭強調処理部９４と、ノイズ低減処理部９５とを備えている。これらの階調変換部９３、輪郭強調処理部９４、及びノイズ低減処理部９５は、撮影感度設定部に６１によって設定された撮影感度に基づいて、撮影感度に適した階調変換処理、輪郭強調処理、及びノイズ低減処理を画像データに施す。
【００９７】
階調変換部９３には、異なる階調変換特性を有する変換テーブルＡ，Ｂが記憶されており、撮影感度に応じて一方が選択されて、階調変換処理を画像データに施す。また、輪郭強調処理部９４は、撮影感度に応じて補正量の範囲が選択され、輪郭強調処理を画像データに施す。ノイズ低減処理部９５は、撮影感度に応じてフィルタの閾値が選択され、ノイズ低減処理を施す。
【００９８】
つまり、デジタル信号処理回路９１では、下記表２に示すように、各撮影感度に対応する階調変換処理、輪郭強調処理、及びノイズ低減処理を行う。階調変換処理において、撮影感度が中感度及び高感度の場合、通常の階調特性を示す変換テーブルを選択して階調変換処理を行い、低感度の場合、近距離でのストロボ撮影が想定されるため、白トビを防止する階調変換特性を有する変換テーブルを選択して階調変換処理を行う。
【００９９】
輪郭強調処理において、また、撮影感度が中感度の場合、通常の輪郭強調処理を行う。また、撮影感度が低感度の場合、ＡＭＰでの利得が小さいため、ノイズの影響が少ないので輪郭強調処理を弱めにし、高感度の場合、ＡＭＰでの利得が大きくなるため、ノイズによる影響が大きいので、後述するようにノイズ低減処理を強めにかける。このため、解像度が損なわれることが多いので、輪郭強調処理を強めにかける。
【０１００】
また、ノイズ低減処理において、撮影感度が中感度の場合、通常のノイズ低減処理を行う。また、撮影感度が低感度の場合、ノイズの影響が少ないため、ノイズ低減処理を少なくし、高感度の場合、ノイズの影響が大きいのでノイズ低減処理を強めにする。
【０１０１】
【表２】
2010193498.tif 000005
【０１０２】
信号処理パラメータ設定回路９２は、画像データに対して各種信号処理を施す際に用いられる設定値を撮影感度毎に選択する設定値選択手段である。この信号処理パラメータ設定回路９２は、図１７に示すように、撮影感度情報が入力され、この撮影感度情報に基づいて、階調変換処理に用いられる変換テーブルを示す階調変換特性パラメータと、輪郭補正処理での補正量の範囲を示す輪郭強調パラメータと、ノイズ低減処理に用いられるフィルタの閾値を示すノイズ低減パラメータとを決定し、これらのパラメータをデジタル信号処理回路９１に出力する。
【０１０３】
この信号処理パラメータ設定回路９２は、図１８に示すように、階調変換特性選択部９６と、輪郭補正量選択部９７と、ノイズ低減フィルタ選択部９８とを備えている。階調変換特性選択部９６は、撮影感度に基づいて、異なる階調変換特性を有する２つの変換テーブルから一方を選択して、この変換テーブルに対応する階調変換特性パラメータを出力する。なお、２つの変換テーブルの一方は、白トビを防止するための階調変換特性を有しており、他方は通常の階調変換特性を有している。
【０１０４】
また、輪郭補正量算出部９７は、撮影感度に基づいて、図１９に示す３つの異なる補正量範囲から撮影感度に対応する補正量範囲を選択して、この補正量範囲に対応する輪郭強調パラメータを出力する。なお、図１９に示すグラフは、横軸が輪郭強調補正量、縦軸が輪郭強調強度を示している。
【０１０５】
ノイズ低減処理では、例えば、図２０に示すように、画素Ａ１〜Ａ７，・・・が配置されている場合、各画素の輪郭成分を抽出した後、図２１に示すように、フィルタの閾値以下の成分を除去する。その後、残った信号を原信号と加算することでノイズ成分を除去する。ノイズ低減処理部９５では、このフィルタの閾値を変化させることによってノイズの低減具合を調整する。ノイズ低減フィルタ選択部９８は、撮影感度に基づいて、３つの閾値から１つを選択し、この閾値に対応するノイズ低減パラメータを出力する。
【０１０６】
以上、デジタルカメラ９０の構成を説明したが、その他の構成は、デジタルカメラ１０と同様の構成であり、同一の部品には同一の符号を付して詳しい説明を省略する。
【０１０７】
次に、上記構成のデジタルカメラ９０の撮影処理について、図２２のフローチャートを用いて説明する。なお、露出制御までの処理は、第１の実施形態であるデジタルカメラ１０と同様であるので説明を省略する。デジタルカメラ１０と同様に、露出制御処理まで行われると、システムコントローラ４０は、シャッタボタン２８が全押しされたか否かの判定を行う。全押しされていないと判定された場合、全押しされるまで待機状態となる。
【０１０８】
また、シャッタボタン２８が全押しされたと判定された場合、システムコントローラ４０は、露出値の設定に基づいて、絞り４２の開口径、及びＣＣＤ４８の電子シャッタ速度を制御するとともに、ストロボ装置６２の発光量が制御して、ＣＣＤ４８に対して撮像処理を実行させる。
【０１０９】
この時、システムコントローラ４０は、ＡＭＰ５０ｂを制御することによって、ＣＣＤ４８によって取得された撮像信号を撮影感度に対応するゲインで増幅させる。その後、撮像信号をデジタル信号に変換した画像データがＳＤＲＡＭ５４に記憶される。
【０１１０】
その後、システムコントローラ４０は、信号処理パラメータ設定回路９２を制御して、信号処理パラメータの設定処理を実行させる。信号処理パラメータ設定回路９２は、撮影感度が低感度か否かを判定する。低感度であると判定された場合、信号処理パラメータ設定回路９２は、低感度に対応する階調変換パラメータ、輪郭強調パラメータ、及びノイズ低減パラメータをデジタル信号処理回路９１に出力する。
【０１１１】
また、撮影感度が低感度ではないと判定された場合、信号処理パラメータ設定回路９２は、撮影感度が高感度であるか否かを判定する。撮影感度が高感度であると判定された場合、信号処理パラメータ設定回路９２は、高感度に対応する階調変換パラメータ、輪郭強調パラメータ、及びノイズ低減パラメータをデジタル信号処理回路９１に出力する。
【０１１２】
撮影感度が高感度でないと判定された場合、信号処理パラメータ設定回路９２は、中感度に対応する階調変換パラメータ、輪郭強調パラメータ、及びノイズ低減パラメータをデジタル信号処理回路９１に出力する。
【０１１３】
その後、システムコントローラ４０は、デジタル信号処理回路９１を制御して、ＳＤＲＡＭ５４に記憶された高解像度の画像データに対して階調変換処理、輪郭強調処理、及びノイズ低減処理を実行する。この時、デジタル信号処理回路９１は、各パラメータに基づいて、撮影感度に対応する階調変換処理、輪郭強調処理、及びノイズ低減処理を実行する。
【０１１４】
また、デジタル信号処理回路９１は、これらの階調変換処理、輪郭強調処理、及びノイズ低減処理の他に、画像データに対して、ホワイトバランス補正処理、及びＹＣ変換処理等の信号処理を施す。
【０１１５】
さらに、システムコントローラ４０は、圧縮伸張処理回路５６を制御して、画像データに対して圧縮処理を施すとともに、メディアコントローラ５８を制御することによって、圧縮処理が施された画像データを記録メディア３１に記憶させて撮影処理を終了する。
【０１１６】
なお、上記第２及び第３の実施形態において、１つの撮影感度を設定して撮影を行う場合を例に説明したが、これに限るものではなく、図８のフローチャートで説明した撮影処理のように、複数の撮影感度を設定して撮影を行っても良い。
【０１１７】
また、上記実施形態において、撮影感度を低感度（ＩＳＯ４００）、中感度（ＩＳＯ８００）、高感度（ＩＳＯ１６００）の３通りから選択する場合を例に説明したが、これに限るものではなく、２通りまたは４通り以上の撮影感度から選択しても良い。
【０１１８】
さらに、上記実施形態において、合焦位置検出手段として、フォーカスレンズを移動させながら、コントラスト方式でフォーカスレンズの合焦位置を検出する場合を例に説明したが、これに限るものではなく、例えば、アクティブ方式やパッシブ方式等の測距手段を用いてフォーカスレンズの合焦位置を検出しても良い。この場合、前述の表１に示すテーブルではなく、下表３に示すように、ズームポジション（Ｚ１〜Ｚ１０）毎に、撮影距離を示す距離選択パラメータＡ，Ｂを用いても良い。
【０１１９】
【表３】
2010193498.tif 000006
【０１２０】
また、上記実施形態において、ズームレンズ及びフォーカスレンズを駆動するモータとしてパルスモータを用いる場合を例に説明を行ったが、これに限るものではなく、ＤＣモータを用いても良い。この場合、レンズの位置を検出するためにエンコーダを設ければ良い。
【０１２１】
さらに、上記実施形態において、被写体輝度及び撮影感度に基づいて、ストロボ装置の発光量を制御する場合を例に説明したが、オートストロボ機能を備えた撮影装置の場合、被写体輝度及び撮影感度に基づいて、ストロボの発光を停止するための基準値となる調光値の値を算出して設定しても良い。
【０１２２】
また、上記実施形態において、固体撮像素子としてＣＣＤイメージセンサを用いる場合を例に説明したが、これに限るものではなく、例えば、ＣＭＯＳイメージセンサを用いても良い。
【０１２３】
また、上記実施形態において、本発明をデジタルカメラに適用した場合を例に説明したが、これに限るものではなく、例えば、カメラ付き携帯電話やデジタルビデオカメラに本発明を適用しても良い。
【符号の説明】
【０１２４】
１０，８０，９０  デジタルカメラ
１３  撮影レンズ
４０  システムコントローラ
４１  ズームレンズ
４３  フォーカスレンズ
４８  ＣＣＤ
５０ｂ  ＡＭＰ
５４  ＳＤＲＡＭ
５５，８２，９１  デジタル信号処理回路
５９  ＡＥ検出回路
６０  ＡＦ検出回路
６１  撮影感度設定回路
６２  ストロボ装置
７０  選択画面
８１  不足ゲイン算出部
８２  不足ゲイン調節部
９２  信号処理パラメータ設定回路
【図１】
2010193498.tif 000007
【図２】
2010193498.tif 000008
【図３】
2010193498.tif 000009
【図４】
2010193498.tif 000010
【図５】
2010193498.tif 000011
【図６】
2010193498.tif 000012
【図７】
2010193498.tif 000013
【図８】
2010193498.tif 000014
【図９】
2010193498.tif 000015
【図１０】
2010193498.tif 000016
【図１１】
2010193498.tif 000017
【図１２】
2010193498.tif 000018
【図１３】
2010193498.tif 000019
【図１４】
2010193498.tif 000020
【図１５】
2010193498.tif 000021
【図１６】
2010193498.tif 000022
【図１７】
2010193498.tif 000023
【図１８】
2010193498.tif 000024
【図１９】
2010193498.tif 000025
【図２０】
2010193498.tif 000026
【図２１】
2010193498.tif 000027
【図２２】
2010193498.tif 000028